【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
ユニバーサル非同期受信機／伝送機モジュールであって、前記ユニバーサル非同期受信機／伝送機モジュールのデータラインと結合されたエッジ検出器を備え、前記エッジ検出器は、前記データライン上の信号の立ち上がりおよび立ち下がりエッジ上においてカウンタをリセットするように構成され、前記エッジ検出器は、通信プロトコルと関連付けられたタイムアウト周期を計時するように動作可能であり、前記ユニバーサル非同期受信機／伝送機モジュールは、前記通信プロトコルと関連付けられた前記タイムアウト周期を計時するための専用タイマを含まない、ユニバーサル非同期受信機／伝送機モジュール。
【請求項２】
前記エッジ検出器は、受信ラインと結合された第１のエッジ検出器回路を備える、請求項１に記載のユニバーサル非同期受信機／伝送機。
【請求項３】
外部受信ラインは、バッファおよびデータ復元ユニットと結合され、前記第１のエッジ検出器は、前記データ復元ユニットの出力と結合されている、請求項２に記載のユニバーサル非同期受信機／伝送機。
【請求項４】
前記カウンタは、各立ち上がりおよび立ち下がりエッジ上においてリセットされる、請求項２に記載のユニバーサル非同期受信機／伝送機。
【請求項５】
前記エッジ検出器は、伝送ラインと結合された第２のエッジ検出器回路を備え、前記第２のエッジ検出器は、前記通信プロトコルと関連付けられた伝送機タイムアウト周期を計時するように動作可能である、請求項２に記載のユニバーサル非同期受信機／伝送機。
【請求項６】
伝送レジスタは、外部ピンおよび前記第２のエッジ検出器と結合されている、バッファと結合されている、請求項５に記載のユニバーサル非同期受信機／伝送機。
【請求項７】
前記伝送ライン上の各立ち上がりおよび立ち下がりエッジ上においてリセットされる、第２のカウンタをさらに備える、請求項５に記載のユニバーサル非同期受信機／伝送機。
【請求項８】
前記通信プロトコルは、デジタル多重化プロトコルを備える、請求項５に記載のユニバーサル非同期受信機／伝送機。
【請求項９】
前記タイムアウト周期は、１秒である、請求項８に記載のユニバーサル非同期受信機／伝送機。
【請求項１０】
請求項１〜９のうちの１項に記載のユニバーサル非同期受信機／伝送機モジュールを備る、マイクロコントローラ。
【請求項１１】
ユニバーサル非同期受信機／伝送機モジュールを動作させるための方法であって、前記ユニバーサル非同期受信機／伝送機モジュールは、前記ユニバーサル非同期受信機／伝送機モジュールのデータラインと結合されたエッジ検出器を備え、前記方法は、
前記エッジ検出器によって、前記データライン上の信号の立ち上がりおよび立ち下がりエッジ上においてカウンタをリセットすることと、
前記カウントを用いて、通信プロトコルと関連付けられたタイムアウト周期を計時することであって、前記ユニバーサル非同期受信機／伝送機モジュールは、前記通信プロトコルと関連付けられた前記タイムアウト周期を計時するための専用タイマを含まない、ことと
を含む、方法。
【請求項１２】
前記エッジ検出器は、受信ラインと結合された第１のエッジ検出器回路を備える、請求項１１に記載の方法。
【請求項１３】
外部受信ラインは、バッファおよびデータ復元ユニットと結合され、前記第１のエッジ検出器は、前記データ復元ユニットの出力と結合されている、請求項１２に記載の方法。
【請求項１４】
前記カウンタは、各立ち上がりおよび立ち下がりエッジ上においてリセットされる、請求項１２または１３に記載の方法。
【手続補正２】
【補正対象書類名】明細書
【補正対象項目名】００１３
【補正方法】変更
【補正の内容】
【００１３】
いくつかの実施形態では、第１および第２のタイマは、通信プロトコルと関連付けられたタイムアウト周期を計時するように動作可能であってもよい。そのような実施形態では、通信プロトコルは、デジタル多重化プロトコルを含んでもよい。他のそのような実施形態では、タイムアウト周期は、１秒であってもよい。
本願明細書は、例えば、以下の項目も提供する。
（項目１）
ユニバーサル非同期受信機／伝送機（ＵＡＲＴ）モジュールであって、前記ＵＡＲＴモジュールのデータラインと結合されたエッジ検出器を備え、前記エッジ検出器は、立ち上がりおよび立ち下がりエッジ上においてカウンタをリセットする、ＵＡＲＴモジュール。
（項目２）
前記エッジ検出器は、受信ラインと結合された第１のエッジ検出器回路を備える、項目１に記載のＵＡＲＴ。
（項目３）
外部受信ラインは、バッファおよびデータ復元ユニットと結合され、前記第１のエッジ検出器は、前記データ復元ユニットの出力と結合されている、項目２に記載のＵＡＲＴ。
（項目４）
各立ち上がりおよび立ち下がりエッジ上においてリセットされる、第１のカウンタをさらに備える、項目２または３に記載のＵＡＲＴ。
（項目５）
前記エッジ検出器は、伝送ラインと結合された第２のエッジ検出器回路を備える、前記項目のうちの１項に記載のＵＡＲＴ。
（項目６）
伝送レジスタは、外部ピンおよび第２のエッジ検出器と結合されている、バッファと結合されている、項目５に記載のＵＡＲＴ。
（項目７）
前記伝送ライン上の各立ち上がりおよび立ち下がりエッジ上においてリセットされる、第２のカウンタをさらに備える、項目５または６に記載のＵＡＲＴ。
（項目８）
マイクロコントローラであって、
ユニバーサル非同期受信機／伝送機（ＵＡＲＴ）モジュールを備え、前記ＵＡＲＴモジュールは、前記ＵＡＲＴモジュールのデータラインと結合されたエッジ検出器を備え、前記エッジ検出器は、立ち上がりおよび立ち下がりエッジ上においてカウンタをリセットし、
前記マイクロコントローラは、通信プロトコルと関連付けられたタイムアウト周期を計時するための専用タイマを含まない、マイクロコントローラ。
（項目９）
前記エッジ検出器は、受信ラインと結合された第１のエッジ検出器回路を備える、項目８に記載のマイクロコントローラ。
（項目１０）
外部受信ラインは、バッファおよびデータ復元ユニットと結合され、前記第１のエッジ検出器は、前記データ復元ユニットの出力と結合されている、項目９に記載のマイクロコントローラ。
（項目１１）
各立ち上がりおよび立ち下がりエッジ上においてリセットされる、第１のカウンタをさらに備える、項目９または１０に記載のマイクロコントローラ。
（項目１２）
前記エッジ検出器は、伝送ラインと結合された第２のエッジ検出器回路を備える、項目８−１１のうちの１項に記載のマイクロコントローラ。
（項目１３）
伝送レジスタは、外部ピンおよび第２のエッジ検出器と結合されている、バッファと結合されている、項目１２に記載のマイクロコントローラ。
（項目１４）
前記伝送ライン上の各立ち上がりおよび立ち下がりエッジ上においてリセットされる、第２のカウンタをさらに備える、項目１２または１３に記載のマイクロコントローラ。
（項目１５）
ユニバーサル非同期受信機／伝送機（ＵＡＲＴ）モジュールであって、
受信ラインと結合された第１のエッジ検出器回路であって、前記第１のエッジ検出器回路は、前記受信ラインの立ち上がりおよび立ち下がりエッジ上において第１のカウンタをリセットする、第１のエッジ検出器回路と、
伝送ラインと結合された第２のエッジ検出器回路であって、前記第２のエッジ検出器回路は、前記伝送ラインの立ち上がりおよび立ち下がりエッジ上において第２のカウンタをリセットする、第２のエッジ検出器と
を備える、ＵＡＲＴモジュール。
（項目１６）
前記受信ラインは、バッファおよびデータ復元ユニットと結合され、前記第１のエッジ検出器は、前記データ復元ユニットの出力と結合されている、項目１５に記載のＵＡＲＴ。
（項目１７）
伝送レジスタは、外部ピンおよび前記第２のエッジ検出器と結合されている、バッファと結合される、項目１５または１６に記載のＵＡＲＴ。
（項目１８）
第１および第２のタイマは、通信プロトコルと関連付けられたタイムアウト周期を計時するように動作可能である、項目１５−１７のうちの１項に記載のＵＡＲＴ。
（項目１９）
前記通信プロトコルは、デジタル多重化プロトコルを備える、項目１８に記載のＵＡＲＴ。
（項目２０）
前記タイムアウト周期は、１秒である、項目１８または１９に記載のＵＡＲＴ。